(57)【特許請求の範囲】
【請求項１】
単数の室内機に対して複数の室外機が接続された空気調和機において、
前記室内機は、複数の前記室外機に対応する複数の室内熱交換器を備え、
複数の前記室外機各々を１台ずつ運転させるとともに、運転させた前記室外機に対応する前記室内熱交換器の温度の所定時間内の変化が所定値以上であるか否かを判定する点検モードを有することを特徴とする空気調和機。
【請求項２】
前記室内機が前記点検モードを起動するための操作部を備えることを特徴とする請求項１に記載の空気調和機。
【請求項３】
前記室内機が前記点検モードの判定結果を報知するための報知部を備えることを特徴とする請求項１または請求項２に記載の空気調和機。
【請求項４】
前記点検モードの判定結果に基づいて前記室内機と複数の前記室外機との誤接続を検出した場合に、誤接続に対応する複数の前記室外機に対して指令信号を入れ替えて入力することを特徴とする請求項１〜請求項３のいずれかに記載の空気調和機。
【請求項５】
前記室内機が前記点検モードの判定結果を報知するための報知部を備え、
前記点検モードの判定結果に基づいて前記室内機と複数の前記室外機との誤接続を検出した場合に、誤接続の報知と、誤接続に対応する複数の前記室外機への指令信号の入れ替えと、が選択可能であることを特徴とする請求項４に記載の空気調和機。
【請求項６】
外気温が所定温度より低い場合に前記点検モードにおける前記室内機の温度変化幅に係る前記所定値を通常より下げる、または外気温が所定温度より低い場合に前記点検モードにおいて前記室内機の温度変化を判定するための前記所定時間を通常より延長することを特徴とする請求項１〜請求項５のいずれかに記載の空気調和機。
【請求項７】
複数の前記室外機のうち要求された空気調和運転に必要最低限の数の前記室外機を運転し、残りの前記室外機の運転を停止することを特徴とする請求項１〜請求項６のいずれかに記載の空気調和機。
【請求項８】
複数の前記室外機各々の累積運転時間を記憶する記憶部を備え、
前記累積運転時間が長い前記室外機から順に運転を停止することを特徴とする請求項７に記載の空気調和機。
【請求項９】
複数の前記室外機各々が同じ冷却能力を有するものであって、
前記室外機各々の累積運転時間と、運転時に前記室外機各々に流れる交流電流とを用いて演算した数値情報を記憶する記憶部を備え、
前記数値情報が大きい前記室外機から順に運転を停止することを特徴とする請求項７に記載の空気調和機。
【発明の詳細な説明】
【技術分野】
【０００１】
本発明は空気調和機及び空気調和システムに関する。
【背景技術】
【０００２】
従来、空気調和機には、例えば建物の全館空調などといった比較的広い空間の空気調和を行うものがある。このような空気調和機が例えば特許文献１に開示されている。
【０００３】
特許文献１に記載された従来の空気調和機は比較的広い空間の空気調和を行うために、複数の室外機を組み合わせて利用している。これにより、単数の室外機の場合と比較して、より高い空気調和性能を得るようにしている。
【先行技術文献】
【特許文献】
【０００４】
【特許文献１】特開２０１０−９６４３２号公報
【発明の概要】
【発明が解決しようとする課題】
【０００５】
しかしながら、複数の室外機と、複数の冷凍サイクルと、を備える空気調和機の場合、電気配線やサイクル配管を間違って誤接続したり、それらの接続不良が発生したりすることが起こり得る。電気配線やサイクル配管を誤接続すると、正常な空気調和運転を実現することができなくなる可能性が高い。そして、冷房サイクルと暖房サイクルとを混在させて運転する場合、冷房と暖房とが逆になってしまい、制御することができなくなる虞もある。
【０００６】
また、電気配線やサイクル配管が誤接続された室外機に関してその異常を発見した場合、正常な室外機に対して修理を実施してしまう可能性がある。さらに、複数の室外機各々は同じ場所に配置されている場合が多く、たとえ電気配線やサイクル配管に誤接続があっても、空気調和運転を行う上での支障が小さいので、誤接続を確認しないこともあった。
【０００７】
一方、複数の室外機を運転させるにあたって、要求された空気調和運転に対して必要以上の台数の室外機を運転させると、消費電力が増大してしまうといった課題もあった。さらに、それら複数の室外機のうちいずれかを選択して運転を停止させる場合、特定の室外機の累積運転時間が極端に長くなり、寿命が極端に短くなるといった問題もあった。
【０００８】
本発明は、上記の点に鑑みなされたものであり、単数の室内機に対して複数の室外機が接続された空気調和機において、誤接続や接続不良を容易に検出することが可能な空気調和機を提供することを目的とする。また、単数の室内機に対して複数の室外機が接続された空気調和機において、消費電力の抑制及び室外機の寿命の均一化が図られた空気調和機及び空気調和システムを提供することを目的とする。
【課題を解決するための手段】
【０００９】
上記の課題を解決するため、本発明は、単数の室内機に対して複数の室外機が接続された空気調和機において、複数の前記室外機各々を１台ずつ運転させて前記室内機の温度の所定時間内の変化が所定値以上であるか否かを判定する点検モードを有することを特徴としている。
【００１０】
また、上記構成の空気調和機において、前記室内機が前記点検モードを起動するための操作部を備えることを特徴としている。
【００１１】
また、上記構成の空気調和機において、前記室内機が前記点検モードの判定結果を報知するための報知部を備えることを特徴としている。
【００１２】
また、上記構成の空気調和機において、前記点検モードの判定結果に基づいて前記室内機と複数の前記室外機との誤接続を検出した場合に、誤接続に対応する複数の前記室外機に対して指令信号を入れ替えて入力することを特徴としている。
【００１３】
また、上記構成の空気調和機において、前記室内機が前記点検モードの判定結果を報知するための報知部を備え、前記点検モードの判定結果に基づいて前記室内機と複数の前記室外機との誤接続を検出した場合に、誤接続の報知と、誤接続に対応する複数の前記室外機への指令信号の入れ替えと、が選択可能であることを特徴としている。
【００１４】
また、上記構成の空気調和機において、外気温が所定温度より低い場合に前記点検モードにおける前記室内機の温度変化幅に係る前記所定値を通常より下げることを特徴としている。
【００１５】
また、上記構成の空気調和機において、外気温が所定温度より低い場合に前記点検モードにおいて前記室内機の温度変化を判定するための前記所定時間を通常より延長することを特徴としている。
【００１６】
また、上記構成の空気調和機において、複数の前記室外機のうち要求された空気調和運転に必要最低限の数の前記室外機を運転し、残りの前記室外機の運転を停止することを特徴としている。
【００１７】
また、上記構成の空気調和機において、複数の前記室外機各々の累積運転時間を記憶する記憶部を備え、前記累積運転時間が長い前記室外機から順に運転を停止することを特徴としている。
【００１８】
また、上記構成の空気調和機において、複数の前記室外機各々が同じ冷却能力を有するものであって、前記室外機各々の累積運転時間と、運転時に前記室外機各々に流れる交流電流とを用いて演算した数値情報を記憶する記憶部を備え、前記数値情報が大きい前記室外機から順に運転を停止することを特徴としている。
【００１９】
また、本発明は、単数の室内機に対して一つ以上の室外機が接続された空気調和機の組を複数備えた空気調和システムにおいて、複数の前記室外機のうち要求された空気調和運転に必要最低限の数の前記室外機を運転し、残りの前記室外機の運転を停止することを特徴としている。
【発明の効果】
【００２０】
本発明の構成によれば、単数の室内機に対して複数の室外機が接続された空気調和機において、誤接続や接続不良を容易に検出することが可能な空気調和機を提供することができる。また、単数の室内機に対して複数の室外機が接続された空気調和機において、消費電力の抑制及び室外機の寿命の均一化が図られた空気調和機及び空気調和システムを提供することができる。
【図面の簡単な説明】
【００２１】
【図１】本発明の第１実施形態の空気調和機の概略構成図である。
【図２】本発明の第１実施形態の空気調和機の構成を示すブロック図である。
【図３】本発明の第１実施形態の空気調和機の概略構成図にして、サイクル配管に誤接続があった場合を示すものである。
【図４】本発明の第１実施形態の空気調和機の点検モードの動作を示すフローチャートである。
【図５】本発明の第２実施形態の空気調和機の点検モードの動作を示すフローチャートである。
【図６】本発明の第２実施形態の空気調和機の点検モードの動作を示すフローチャート（図５の続き）である。
【図７】本発明の第３実施形態の空気調和機の概略構成図である。
【図８】本発明の第４実施形態の空気調和機の点検モードの動作を示すフローチャートである。
【図９】本発明の第５実施形態の空気調和機の点検モードの動作を示すフローチャートである。
【図１０】本発明の第６実施形態の空気調和機の室外機の運転台数の削減処理を示すフローチャートである。
【図１１】本発明の第７実施形態の空気調和機の室外機の運転台数の削減処理を示すフローチャートである。
【図１２】本発明の第８実施形態の空気調和機の室外機の運転台数の削減処理を示すフローチャートである。
【図１３】本発明の第９実施形態の空気調和システムの概略構成図である。
【発明を実施するための形態】
【００２２】
以下、本発明の実施形態を図１〜図１３に基づき説明する。
【００２３】
＜第１実施形態＞
最初に、本発明の第１実施形態の空気調和機について、図１及び図２を用いてその構造と動作の概略を説明する。図１は空気調和機の概略構成図であって、冷房運転時の状態を示すものである。図２は空気調和機の構成を示すブロック図である。
【００２４】
空気調和機１は、図１及び図２に示すように１台の室内機１０に対して２台の室外機である第１室外機３０ａ及び第２室外機３０ｂが接続されたセパレート型の空気調和機である。
【００２５】
室内機１０は、例えば室内の天井部に設置されるものであって、合成樹脂部品で構成される筐体１１を備える。室内機１０はその筐体１１の内部に室内送風機１２、第１室内熱交換器１３ａ、第２室内熱交換器１３ｂ、操作部１４、報知部１５及び室内機制御部１６を備える。
【００２６】
室内送風機１２はファンと、これを回転させるモータとを組み合わせたものである。筐体１１には吸込口及び吹出口（各々不図示）が設けられる。室内送風機１２を駆動すると、室内から吸込口を通って筐体１１の内部に吸い込まれた室内空気が吹出口に至る方向に流通し、吹出口から室内に向かって吹き出される。
【００２７】
第１室内熱交換器１３ａ及び第２室内熱交換器１３ｂは例えば室内送風機１２のファンと対向するように配置される。室内送風機１２を駆動すると、吸込口を通って筐体１１の内部に吸い込まれた室内空気が第１室内熱交換器１３ａ及び第２室内熱交換器１３ｂを通過し、第１室内熱交換器１３ａ及び第２室内熱交換器１３ｂがその室内空気との間で熱交換を行う。なお、この説明及び図において、特にいずれかに限定する必要がある場合を除き、第１室内熱交換器１３ａ及び第２室内熱交換器１３ｂを総じて室内熱交換器１３と称することがある。
【００２８】
空気調和機１の運転制御を行うためには各所の温度を知ることが不可欠である。このため、室内機１０の各所に温度検出器が配置される。
【００２９】
第１熱交換器温度検出器１７ａが第１室内熱交換器１３ａに配置され、第１室内熱交換器１３ａの温度を検出する。第１液管温度検出器１８ａが冷房運転時に冷媒が第１室内熱交換器１３ａに流入する側に設けられた第１液管２ａに配置され、第１液管２ａを流通する冷媒の温度を検出する。第２熱交換器温度検出器１７ｂが第２室内熱交換器１３ｂに配置され、第２室内熱交換器１３ｂの温度を検出する。第２液管温度検出器１８ｂが冷房運転時に冷媒が第２室内熱交換器１３ｂに流入する側に設けられた第２液管２ｂに配置され、第２液管２ｂを流通する冷媒の温度を検出する。室内温度検出器１９が筐体１１の室内側に近接する箇所に配置され、室内温度を検出する。第１熱交換器温度検出器１７ａ、第１液管温度検出器１８ａ、第２熱交換器温度検出器１７ｂ、第２液管温度検出器１８ｂ及び室内温度検出器１９はいずれも例えばサーミスタにより構成される。
【００３０】
操作部１４は例えばリモコンや室内の壁部等に設置される操作パネルなどで構成される。操作パネル１４は表示部や運転切替キー、温度調節キー、風量調節キー、風向調節キー、タイマーキー（各々不図示）などを備える。また、操作パネル１４は後述する点検キー２０を備える。
【００３１】
報知部１５は使用者に対して空気調和機１の運転状態や異常を報知するために設けられる。報知部１５は例えば操作パネル１４の表示部に情報を表示したり、発光部材による光で状態を表現したり、音声により情報を報知したりする。
【００３２】
室内機１０は第１室外機３０ａ及び第２室外機３０ｂを含む空気調和機１全体の動作制御を行うために、筐体１１の内部に室内機制御部１６を収容する。室内機制御部１６は図示しない演算部等を備え、記憶部２１等に記憶、入力されたプログラム、データに基づき室内温度が使用者によって設定された目標値に達するように制御を行う一連の空気調和運転を実現する。
【００３３】
室内機制御部１６は室内送風機１２、並びに後述する第１室外機制御部３８ａ及び第２室外機制御部３８ｂに対して動作指令を発する。また、室内機制御部１６は第１熱交換器温度検出器１７ａ、第１液管温度検出器１８ａ、第２熱交換器温度検出器１７ｂ、第２液管温度検出器１８ｂ及び室内温度検出器１９から各々の検出温度に係る出力信号を受け取る。また、室内機制御部１６は操作部１４を利用して使用者から空気調和機１の運転に係る各種設定を受け付ける。また、室内機制御部１６は報知部１５を利用して使用者に対して空気調和機１の運転状態や異常を報知する。
【００３４】
第１室外機３０ａ及び第２室外機３０ｂは各々、例えば屋外の床面上に設置されるものであって、合成樹脂部品と板金部品とで構成される矩形箱型の筐体３１ａ、筐体３１ｂを備える。なお、この説明及び図において、特にいずれかに限定する必要がある場合を除き、第１室外機３０ａ及び第２室外機３０ｂを総じて室外機３０と称することがある。また、第１室外機３０ａ及び第２室外機３０ｂは互いに構成が同じであるので、以下各々の構成要素または関連する部材であることを示す符号「ａ」、「ｂ」を省略して説明することがある。
【００３５】
室外機３０は液管２及びガス管３を用いて室内機１０に接続される。室外機３０はその筐体３１の内部に圧縮機３２、切替弁３３、膨張弁３４、室外送風機３５、室外熱交換器３６、外気温度検出器３７及び室外機制御部３８を備える。
【００３６】
圧縮機３２は冷凍サイクルで循環する冷媒に圧力を加える。切替弁３３は冷房運転時、暖房運転時などの異なる運転モードにおいて冷媒の流通方向を切り替えるための四方弁である。膨張弁３４には開度制御の可能なものが用いられる。
【００３７】
室外送風機３５は筐体３１の内壁に隣接して設けたプロペラファンと、これを回転させるモータとを組み合わせたものである。筐体３１には図示しない吸込口、吹出口が設けられる。室外熱交換器３６は室外送風機３５に近接して配置される。室外送風機３５を駆動すると、外部から吸込口を通って筐体３１の内部に吸い込まれた外気が室外熱交換器３６を通過し、室外熱交換器３６とその外気との間で熱交換が行われる。
【００３８】
外気温度検出器３７は筐体３１の外部に近接する箇所に配置され、外気温を検出する。外気温度検出器３７は例えばサーミスタにより構成される。
【００３９】
室外機３０は室外機３０自体の詳細な動作制御を行うために、筐体３１の内部に室外機制御部３８を収容する。室外機制御部３８は室内機制御部１６からの動作指令を受けて、圧縮機３２、切替弁３３、膨張弁３４及び室外送風機３５に対して動作指令を発する。また、室外機制御部３８は外気温度検出器３７から検出温度に係る出力信号を受け取る。室外機制御部３８は図示しない演算部や記憶部等を備え、記憶部等に記憶、入力されたプログラム、データや外気温度検出器３７から得た外気温に基づき室内機制御部１６から受け付けた動作指令に沿うように室外機３０自体の制御を行う。
【００４０】
図１は空気調和機１が冷房運転あるいは除霜運転を行っている状態を示す。このとき、圧縮機３２は冷房時循環、すなわち圧縮機３２から吐出された冷媒が先に室外熱交換器３６に入る循環様式で冷媒を循環させる。冷媒は図１において液管２、ガス管３等に近接して描画した破線付き矢印が指す方向に循環する。
【００４１】
圧縮機３２から吐出された高温高圧気体の冷媒は室外熱交換器３６に入り、室外熱交換器３６で外気との熱交換が行われる。冷媒は外気に対し放熱を行い、凝縮する。凝縮して液体となった冷媒は室外熱交換器３６から膨張弁３４に至り、減圧される。
【００４２】
減圧後の冷媒は室内熱交換器１３に送られ、膨張して低温低圧となり、室内熱交換器１３の表面温度を下げる。表面温度の下がった室内熱交換器１３は室内空気から吸熱し、これにより室内空気が冷却される。
【００４３】
吸熱後、低温気体の冷媒は圧縮機３２に戻る。室外送風機３５によって生成された気流が室外熱交換器３６からの放熱を促進し、室内送風機１２によって生成された気流が室内熱交換器１３の吸熱を促進する。なお、除霜運転では室内送風機１２が動作せず、室内側で積極的に気流による熱交換を実行しない。
【００４４】
なお、図示しないが、暖房運転時は切替弁１３が切り替えられて冷房運転時と冷媒の流れが逆になる。圧縮機３２は暖房時循環、すなわち圧縮機３２から吐出された冷媒が先に室内熱交換器１３に入る循環様式で冷媒を循環させる。
【００４５】
ここで、空気調和機１のように複数の室外機３０と、複数の冷凍サイクルと、を備える場合、図３に示すようにサイクル配管を間違って誤接続したり、それらの接続不良が発生したりすることが起こり得る。例えば、図３は空気調和機１の概略構成図にして、サイクル配管に誤接続があった場合を示すものである。
【００４６】
図３によれば、本来室内機１０と第１室外機３０ａとの間に接続される第１液管２ａ、第１ガス管３ａが、間違って室内機１０と第２室外機３０ｂとの間に接続されている。さらに、本来室内機１０と第２室外機３０ｂとの間に接続される第２液管２ｂ、第２ガス管３ｂが、間違って室内機１０と第１室外機３０ａとの間に接続されている。なお、図示しないが、電気配線に関して間違って誤接続したり、接続不良が発生したりすることも起こり得る。
【００４７】
そこで、本実施形態の空気調和機１は電気配線やサイクル配管の誤接続や接続不良を検出するための点検モードを動作モードとして有する。点検モードは操作部１４に備えられた点検キー２０の操作により起動される。
【００４８】
続いて、空気調和機１の点検モードの動作について、図４に示すフローに沿って説明する。図４は空気調和機１の点検モードの動作を示すフローチャートである。
【００４９】
空気調和機１において操作部１４の点検キー２０が操作され、点検モードが開始されると（図４のスタート）、室内機制御部１６は第１熱交換器温度検出器１７ａ、第１液管温度検出器１８ａ、第２熱交換器温度検出器１７ｂ及び第２液管温度検出器１８ｂから各々の検出温度に係る出力信号を受け取り、各々の検出温度を初期温度に設定する（ステップ＃１０１）。そして、室内機制御部１６は第１室外機３０ａのみ、冷房運転を開始させる（ステップ＃１０２）。
【００５０】
次に、室内機制御部１６は第１室外機３０ａによる冷房運転の時間（判定時間）が所定時間を経過したか否かを判定する（ステップ＃１０３）。なお、この判定時間としての所定時間は予め任意に設定され、記憶部２１等に記憶される。第１室外機３０ａによる冷房運転時間が所定時間を経過していない場合（ステップ＃１０３のＮｏ）、室内機制御部１６は第１熱交換器温度検出器１７ａ及び第１液管温度検出器１８ａから各々の検出温度に係る出力信号を受け取り、各々の検出温度を現在温度に設定する（ステップ＃１０４）。
【００５１】
次に、室内機制御部１６は第１熱交換器温度検出器１７ａ或いは第１液管温度検出器１８ａの初期温度と現在温度との差を演算して、第１熱交換器温度検出器１７ａ或いは第１液管温度検出器１８ａの温度変化が所定値以上であるか否かを判定する（ステップ＃１０５）。第１熱交換器温度検出器１７ａ或いは第１液管温度検出器１８ａの温度変化が所定値以上である場合（ステップ＃１０５のＹｅｓ）、第１熱交換器１３ａと第１室外機３０ａとの接続は正常であると判断され、次のステップ＃１０７に進む。
【００５２】
一方、第１熱交換器温度検出器１７ａ或いは第１液管温度検出器１８ａの温度変化が所定値未満である場合（ステップ＃１０５のＮｏ）、ステップ＃１０３に戻って、第１室外機３０ａによる冷房運転の時間が所定時間を経過したか否かを判定する。そして、第１室外機３０ａによる冷房運転時間が所定時間を経過した場合（ステップ＃１０３のＹｅｓ）、第１室外機３０ａによる冷房運転を実施した際の第１熱交換器１３ａの温度の所定時間内の変化が所定値未満であることが確定する。これにより、室内機制御部１６は第１熱交換器１３ａと第１室外機３０ａとの接続に異常があると判定する（ステップ＃１０６）。
【００５３】
第１室外機３０ａによる冷房運転を実施した際の第１熱交換器１３ａの温度の所定時間内における変化が所定値以上である場合（ステップ＃１０５のＹｅｓ）、室内機制御部１６は第２室外機３０ｂのみ、冷房運転を開始させる（ステップ＃１０７）。
【００５４】
次に、室内機制御部１６は第２室外機３０ｂによる冷房運転の時間が所定時間を経過したか否かを判定する（ステップ＃１０８）。第２室外機３０ｂによる冷房運転時間が所定時間を経過していない場合（ステップ＃１０８のＮｏ）、室内機制御部１６は第２熱交換器温度検出器１７ｂ及び第２液管温度検出器１８ｂから各々の検出温度に係る出力信号を受け取り、各々の検出温度を現在温度に設定する（ステップ＃１０９）。
【００５５】
次に、室内機制御部１６は第２熱交換器温度検出器１７ｂ或いは第２液管温度検出器１８ｂの初期温度と現在温度との差を演算して、第２熱交換器温度検出器１７ｂ或いは第２液管温度検出器１８ｂの温度変化が所定値以上であるか否かを判定する（ステップ＃１１０）。第２熱交換器温度検出器１７ｂ或いは第２液管温度検出器１８ｂの温度変化が所定値以上である場合（ステップ＃１１０のＹｅｓ）、第２熱交換器１３ｂと第２室外機３０ｂとの接続は正常であると判断され、次のステップ＃１１１に進む。
【００５６】
一方、第２熱交換器温度検出器１７ｂ或いは第２液管温度検出器１８ｂの温度変化が所定値未満である場合（ステップ＃１１０のＮｏ）、ステップ＃１０８に戻って、第２室外機３０ｂによる冷房運転の時間が所定時間を経過したか否かを判定する。そして、第２室外機３０ｂによる冷房運転時間が所定時間を経過した場合（ステップ＃１０８のＹｅｓ）、第２室外機３０ｂによる冷房運転を実施した際の第２熱交換器１３ｂの温度の所定時間内の変化が所定値未満であることが確定する。これにより、室内機制御部１６は第２熱交換器１３ｂと第２室外機３０ｂとの接続に異常があると判定する（ステップ＃１０６）。
【００５７】
第２室外機３０ｂによる冷房運転を実施した際の第２熱交換器１３ｂの温度の所定時間内における変化が所定値以上である場合（ステップ＃１１０のＹｅｓ）、室内機制御部１６は第１熱交換器１３ａと第１室外機３０ａとの接続及び第２熱交換器１３ｂと第２室外機３０ｂとの接続が正常であると判定する（ステップ＃１１１）。ステップ＃１１１或いはステップ＃１０６において判定を行うと、室内機制御部１６は点検モードを終了する（図４のエンド）。
【００５８】
なお、室内機制御部１６は点検モードの判定結果を、報知部１５を用いて使用者に報知することができる。点検モードの判定結果の報知は、例えば表示部への表示や音声による報知によってなされる。
【００５９】
上記のように、空気調和機１は点検モードにおいて、複数の室外機３０各々を１台ずつ運転させて室内機１０の温度の所定時間内の変化が所定値以上であるか否かを判定する。室内機１０の温度の所定時間内の変化が所定値以上である場合、空気調和機１は指令どおりに動作していると判断され、電気配線やサイクル配管が正常に接続されているとみなされる。一方、室内機１０の温度の所定時間内の変化が所定値未満である場合、空気調和機１は指令どおりに動作していないと判断され、電気配線やサイクル配管が正常に接続されていないとみなされる。
【００６０】
＜第２実施形態＞
次に、本発明の第２実施形態の空気調和機について、図５及び図６を用いて説明する。図５及び図６はともに空気調和機の点検モードの動作を示すフローチャートであって、各々の図の結合子Ｘ及びＹで結合されるべきフローチャートである。なお、この実施形態の基本的な構成は先に説明した第１実施形態と同じであるので、第１実施形態と共通する構成要素には前と同じ符号を付してその説明を省略するものとする。
【００６１】
第２実施形態の空気調和機１において操作部１４の点検キー２０が操作され、点検モードが開始されると（図５のスタート）、室内機制御部１６は第１熱交換器温度検出器１７ａ、第１液管温度検出器１８ａ、第２熱交換器温度検出器１７ｂ及び第２液管温度検出器１８ｂから各々の検出温度に係る出力信号を受け取り、各々の検出温度を初期温度に設定する（ステップ＃２０１）。そして、室内機制御部１６は第１室外機３０ａのみ、冷房運転を開始させる（ステップ＃２０２）。
【００６２】
次に、室内機制御部１６は第１室外機３０ａによる冷房運転の時間が所定時間を経過したか否かを判定する（ステップ＃２０３）。第１室外機３０ａによる冷房運転時間が所定時間を経過していない場合（ステップ＃２０３のＮｏ）、室内機制御部１６は第１熱交換器温度検出器１７ａ、第１液管温度検出器１８ａ、第２熱交換器温度検出器１７ｂ及び第２液管温度検出器１８ｂから各々の検出温度に係る出力信号を受け取り、各々の検出温度を現在温度に設定する（ステップ＃２０４）。
【００６３】
次に、室内機制御部１６は第１熱交換器温度検出器１７ａ或いは第１液管温度検出器１８ａの初期温度と現在温度との差を演算して、第１熱交換器温度検出器１７ａ或いは第１液管温度検出器１８ａの温度変化が所定値以上であるか否かを判定する（ステップ＃２０５）。第１熱交換器温度検出器１７ａ或いは第１液管温度検出器１８ａの温度変化が所定値以上である場合（ステップ＃２０５のＹｅｓ）、第１熱交換器１３ａと第１室外機３０ａとの接続は正常であると判断され、室内機制御部１６はテーブル１に「１」の数値を設定する（ステップ＃２０６）。
【００６４】
なお、ここで述べる「テーブル」とは、第１熱交換器１３ａ及び第２熱交換器１３ｂと、第１室外機３０ａ及び第２室外機３０ｂとの接続状態を判定するために記憶部２１等に作成された情報の格納領域を意味する。「テーブル１」が第１室外機３０ａに対応する格納領域であり、「テーブル２」が第２室外機３０ｂに対応する格納領域である。各々のテーブルに設定される「１」の数値が第１熱交換器１３ａに対応し、「２」の数値が第２熱交換器１３ｂに対応する。
【００６５】
一方、第１熱交換器温度検出器１７ａ或いは第１液管温度検出器１８ａの温度変化が所定値未満である場合（ステップ＃２０５のＮｏ）、室内機制御部１６は第１熱交換器温度検出器１７ａの初期温度と第２熱交換器温度検出器１７ｂと現在温度との差が所定値以上であるか否か、或いは第１液管温度検出器１８ａの初期温度と第２液管温度検出器１８ｂの現在温度との差が所定値以上であるか否かを判定する（ステップ＃２０７）。ステップ＃２０７における室内機１０の温度変化が所定値以上である場合（ステップ＃２０７のＹｅｓ）、第２熱交換器１３ｂと第１室外機３０ａとの誤接続があると判断され、室内機制御部１６はテーブル１に「２」の数値を設定する（ステップ＃２０８）。
【００６６】
一方、室内機１０の温度変化が所定値未満である場合（ステップ＃２０７のＮｏ）、ステップ＃２０３に戻って、第１室外機３０ａによる冷房運転の時間が所定時間を経過したか否かを判定する。そして、第１室外機３０ａによる冷房運転時間が所定時間を経過した場合（ステップ＃２０３のＹｅｓ）、第１室外機３０ａによる冷房運転を実施した際の室内機１０の温度の所定時間内の変化が所定値未満であることが確定する。これにより、室内機制御部１６は第１熱交換器１３ａまたは第２熱交換器１３ｂと第１室外機３０ａとの接続に不良があると判定する（ステップ＃２０９）。
【００６７】
テーブル１に「１」の数値を設定する（ステップ＃２０６）、或いはテーブル１に「２」の数値を設定する（ステップ＃２０８）と、室内機制御部１６は第２室外機３０ｂのみ、冷房運転を開始させる（ステップ＃２１０）。
【００６８】
次に、室内機制御部１６は第２室外機３０ｂによる冷房運転の時間が所定時間を経過したか否かを判定する（ステップ＃２１１）。第２室外機３０ｂによる冷房運転時間が所定時間を経過していない場合（ステップ＃２１１のＮｏ）、室内機制御部１６は第１熱交換器温度検出器１７ａ、第１液管温度検出器１８ａ、第２熱交換器温度検出器１７ｂ及び第２液管温度検出器１８ｂから各々の検出温度に係る出力信号を受け取り、各々の検出温度を現在温度に設定する（ステップ＃２１２）。
【００６９】
次に、室内機制御部１６は第２熱交換器温度検出器１７ｂ或いは第２液管温度検出器１８ｂの初期温度と現在温度との差を演算して、第２熱交換器温度検出器１７ｂ或いは第２液管温度検出器１８ｂの温度変化が所定値以上であるか否かを判定する（ステップ＃２１３）。第２熱交換器温度検出器１７ｂ或いは第２液管温度検出器１８ｂの温度変化が所定値以上である場合（ステップ＃２１３のＹｅｓ）、第２熱交換器１３ｂと第２室外機３０ｂとの接続は正常であると判断され、室内機制御部１６はテーブル２に「２」の数値を設定する（ステップ＃２１４）。
【００７０】
一方、第２熱交換器温度検出器１７ｂ或いは第２液管温度検出器１８ｂの温度変化が所定値未満である場合（ステップ＃２１３のＮｏ）、室内機制御部１６は第２熱交換器温度検出器１７ｂの初期温度と第１熱交換器温度検出器１７ａと現在温度との差が所定値以上であるか否か、或いは第２液管温度検出器１８ｂの初期温度と第１液管温度検出器１８ａの現在温度との差が所定値以上であるか否かを判定する（ステップ＃２１５）。ステップ＃２１５における室内機１０の温度変化が所定値以上である場合（ステップ＃２１５のＹｅｓ）、第１熱交換器１３ａと第１室外機３０ａとの誤接続があると判断され、室内機制御部１６はテーブル２に「１」の数値を設定する（ステップ＃２１６）。
【００７１】
一方、室内機１０の温度変化が所定値未満である場合（ステップ＃２１５のＮｏ）、ステップ＃２１１に戻って、第２室外機３０ｂによる冷房運転の時間が所定時間を経過したか否かを判定する。そして、第２室外機３０ｂによる冷房運転時間が所定時間を経過した場合（ステップ＃２１１のＹｅｓ）、第２室外機３０ｂによる冷房運転を実施した際の室内機１０の温度の所定時間内の変化が所定値未満であることが確定する。これにより、室内機制御部１６は第１熱交換器１３ａまたは第２熱交換器１３ｂと第２室外機３０ｂとの接続に不良があると判定する（ステップ＃２０９）。
【００７２】
テーブル２に「２」の数値を設定する（ステップ＃２１４）、或いはテーブル２に「１」の数値を設定する（ステップ＃２１６）と、室内機制御部１６はテーブル１及び２のすべてに数値が埋まっているか否かを判定する（ステップ＃２１７）。
【００７３】
テーブル１及び２のすべてに数値が埋まっている場合（ステップ＃２１７のＹｅｓ）、室内機制御部１６は正常な接続と、誤接続とを含め、室内機１０と第１室外機３０ａ及び第２室外機３０ｂとが接続されていることを判定する（ステップ＃２１８）。一方、テーブル１及び２のすべてに数値が埋まっていない場合（ステップ＃２１７のＮｏ）、室内機制御部１６は室内機１０と第１室外機３０ａ及び第２室外機３０ｂと接続に不良があることを判定する（ステップ＃２０９）。ステップ＃２１８或いはステップ＃２０９において判定を行うと、室内機制御部１６は点検モードを終了する（図６のエンド）。
【００７４】
上記のように、空気調和機１は点検モードにおいて、正常な接続と、誤接続とを含め、室内機１０と第１室外機３０ａ及び第２室外機３０ｂとが接続されていることを検出する。そして、空気調和機１は点検モードの判定結果に基づいて室内機１０と第１室外機３０ａ及び第２室外機３０ｂとの誤接続を検出した場合に、誤接続に対応する第１室外機３０ａ及び第２室外機３０ｂに対して指令信号を入れ替えて入力する。これにより、誤接続を正常な接続に戻すための修理を実施しなくても問題なく空気調和運転を遂行することが可能である。
【００７５】
また、空気調和機１は室内機１０と第１室外機３０ａ及び第２室外機３０ｂとの誤接続を検出した場合に、報知部１５を用いた誤接続の報知と、誤接続に対応する第１室外機３０ａ及び第２室外機３０ｂへの指令信号の入れ替えと、が選択可能である。
【００７６】
＜第３実施形態＞
次に、本発明の第３実施形態の空気調和機について、図７を用いて説明する。図７は空気調和機の概略構成図である。なお、この実施形態の基本的な構成は先に説明した第１及び第２実施形態と同じであるので、第１及び第２実施形態と共通する構成要素には前と同じ符号を付してその説明を省略するものとする。また、図７では室内機１０及び室外機３０の詳細な構成の描画を省略している。
【００７７】
第３実施形態の空気調和機１は、図７に示すように１台の室内機１０に対して３台以上のｎ台の室外機３０が接続される（ｎは３以上の任意の自然数である）。室内機１０はｎ台の室外機３０に対応するｎ個の室内熱交換器１３を備え、対応する室内熱交換器１３と室外機３０との間が液管２及びガス管３を用いて接続される。
【００７８】
このように１台の室内機１０に対して３台以上の室外機３０が接続された場合であっても、空気調和機１は点検モードにおいて、複数の室外機３０各々を１台ずつ運転させて室内機１０の温度の所定時間内の変化が所定値以上であるか否かを判定する。そして、空気調和機１は電気配線やサイクル配管に関して室内機１０と室外機３０との接続状態を検出する。
【００７９】
＜第４実施形態＞
次に、本発明の第４実施形態の空気調和機について、図８を用いて説明する。図８は空気調和機の点検モードの動作を示すフローチャートである。なお、この実施形態の基本的な構成は先に説明した第１及び第２実施形態と同じであるので、第１及び第２実施形態と共通する構成要素には前と同じ符号を付してその説明を省略するものとする。
【００８０】
第４実施形態の空気調和機１において操作部１４の点検キー２０が操作され、点検モードが開始されると（図８のスタート）、室内機制御部１６は第１及び第２実施形態で説明した点検モードの主たる判定処理（ステップ＃３０５）を実行するに先立って、外気温に基づく補正処理（ステップ＃３０１〜ステップ＃３０４）を実行する。
【００８１】
まず、室内機制御部１６は室外機３０に設けられた外気温度検出器３７を利用して外気温を検出する（ステップ＃３０１）。次に、室内機制御部１６は外気温が所定温度より低いか否かを判定する（ステップ＃３０２）。なお、この外気温に係る所定温度は予め任意に設定され、記憶部２１等に記憶される。
【００８２】
外気温が所定温度より低くない場合（ステップ＃３０２のＮｏ）、室内機制御部１６は点検モードの主たる判定処理において基準となる室内機１０の温度変化幅に係る所定値を通常どおりに設定する（ステップ＃３０３）。
【００８３】
一方、外気温が所定温度より低い場合（ステップ＃３０２のＹｅｓ）、室内機制御部１６は点検モードの主たる判定処理において基準となる室内機１０の温度変化幅に係る所定値を通常より下げて設定する（ステップ＃３０４）。この通常より下げられた室内機１０の温度変化幅に係る所定値は予め任意に設定され、記憶部２１等に記憶される。
【００８４】
そして、室内機制御部１６は外気温に基づき設定した室内機１０の温度変化幅に係る所定値を用いて、第１及び第２実施形態で説明した点検モードの主たる判定処理（ステップ＃３０５）を実行する。このようにして、外気温が所定温度より低い場合であっても、比較的短時間で誤接続や接続不良が検出される。
【００８５】
＜第５実施形態＞
次に、本発明の第５実施形態の空気調和機について、図９を用いて説明する。図９は空気調和機の点検モードの動作を示すフローチャートである。なお、この実施形態の基本的な構成は先に説明した第１及び第２実施形態と同じであるので、第１及び第２実施形態と共通する構成要素には前と同じ符号を付してその説明を省略するものとする。
【００８６】
第５実施形態の空気調和機１において操作部１４の点検キー２０が操作され、点検モードが開始されると（図９のスタート）、室内機制御部１６は第１及び第２実施形態で説明した点検モードの主たる判定処理（ステップ＃４０５）を実行するに先立って、外気温に基づく補正処理（ステップ＃４０１〜ステップ＃４０４）を実行する。
【００８７】
まず、室内機制御部１６は室外機３０に設けられた外気温度検出器３７を利用して外気温を検出する（ステップ＃４０１）。次に、室内機制御部１６は外気温が所定温度より低いか否かを判定する（ステップ＃４０２）。
【００８８】
外気温が所定温度より低くない場合（ステップ＃４０２のＮｏ）、室内機制御部１６は点検モードの主たる判定処理において室内機１０の温度変化を判定するための所定時間を通常どおりに設定する（ステップ＃４０３）。
【００８９】
一方、外気温が所定温度より低い場合（ステップ＃４０２のＹｅｓ）、室内機制御部１６は点検モードの主たる判定処理において室内機１０の温度変化を判定するための所定時間を通常より延長して設定する（ステップ＃４０４）。この通常より延長された室内機１０の温度変化を判定するための所定時間は予め任意に設定され、記憶部２１等に記憶される。
【００９０】
そして、室内機制御部１６は外気温に基づき設定した室内機１０の温度変化を判定するための所定時間を用いて、第１及び第２実施形態で説明した点検モードの主たる判定処理（ステップ＃４０５）を実行する。これにより、外気温が所定温度より低い場合であっても、正確に誤接続や接続不良が検出される。
【００９１】
＜第６実施形態＞
次に、本発明の第６実施形態の空気調和機について、図１０を用いて説明する。図１０は空気調和機の室外機の運転台数の削減処理を示すフローチャートである。なお、この実施形態の基本的な構成は先に説明した第１〜第５実施形態と同じであるので、第１〜第５実施形態と共通する構成要素には前と同じ符号を付してその説明を省略するものとする。
【００９２】
空気調和機１のように１台の室内機１０に対して複数の室外機３０が接続される場合、使用者により要求された空気調和運転に対して必要以上の台数の室外機３０を運転していることが起こり得る。そこで、本実施形態の空気調和機１は要求された空気調和運転を遂行するにあたって不必要な室外機３０の運転を停止するという室外機３０の運転台数の削減処理を実行する。
【００９３】
第６実施形態の空気調和機１では、通常の空気調和運転が開始されると（図１０のスタート）、室内機制御部１６は室内機１０に設けられた室内温度検出器１９を利用して室内温度を検出する（ステップ＃５０１）。次に、室内機制御部１６は必要以上の台数の室外機３０を運転しているか否かを判定する（ステップ＃５０２）。
【００９４】
ステップ＃５０２における判定基準としては、例えば設定された室内温度と、現在の室内温度との差を利用する。例えば、現在の室内温度が設定された室内温度に到達した場合に、室内機制御部１６は必要以上の台数の室外機３０を運転していると判定する。また例えば、現在の室内温度が設定された室内温度よりも２〜３℃程度低い温度に到達した場合に、室内機制御部１６は必要以上の台数の室外機３０を運転していると判定する。なお、これらの判定基準は予め任意に設定され、記憶部２１等に記憶される。
【００９５】
必要以上の台数の室外機３０を運転していない場合（ステップ＃５０２のＮｏ）、室内機制御部１６は運転させる室外機３０の台数を現状維持とする（ステップ＃５０３）。そして、ステップ＃５０１に戻り、再び室内温度の検出を実行する。
【００９６】
一方、必要以上の台数の室外機３０を運転している場合（ステップ＃５０２のＹｅｓ）、室内機制御部１６は必要最低限の台数の室外機３０を運転し、残りの室外機３０の運転を停止する（ステップ＃５０４）。そして、ステップ＃５０１に戻り、再び室内温度の検出を実行する。
【００９７】
上記のように、空気調和機１は複数の室外機３０のうち使用者により要求された空気調和運転に必要最低限の台数の室外機３０を運転し、残りの室外機３０の運転を停止する。
【００９８】
＜第７実施形態＞
次に、本発明の第７実施形態の空気調和機について、図１１を用いて説明する。図１１は空気調和機の室外機の運転台数の削減処理を示すフローチャートである。なお、この実施形態の基本的な構成は先に説明した第１〜第５実施形態と同じであるので、第１〜第５実施形態と共通する構成要素には前と同じ符号を付してその説明を省略するものとする。
【００９９】
第７実施形態の空気調和機１において通常の空気調和運転が開始されると（図１１のスタート）、室内機制御部１６は室内機１０に設けられた室内温度検出器１９を利用して室内温度を検出する（ステップ＃６０１）。次に、室内機制御部１６は必要以上の台数の室外機３０を運転しているか否かを判定する（ステップ＃６０２）。
【０１００】
必要以上の台数の室外機３０を運転している場合（ステップ＃６０２のＹｅｓ）、室内機制御部１６は記憶部２１等に記憶された室外機３０ごとの累積運転時間を参照する（ステップ＃６０４）。なお、これに先立って室内機制御部１６は記憶部２１等に、複数の室外機３０各々の累積運転時間を逐次記憶させている。
【０１０１】
そして、室内機制御部１６は必要最低限の台数の室外機３０を運転し、残りの室外機３０の運転を停止するにあたって、累積運転時間が長い室外機３０から順に運転を停止する（ステップ＃６０５）。そして、ステップ＃６０１に戻り、再び室内温度の検出を実行する。
【０１０２】
＜第８実施形態＞
次に、本発明の第８実施形態の空気調和機について、図１２を用いて説明する。図１２は空気調和機の室外機の運転台数の削減処理を示すフローチャートである。なお、この実施形態の基本的な構成は先に説明した第１〜第５実施形態と同じであるので、第１〜第５実施形態と共通する構成要素には前と同じ符号を付してその説明を省略するものとする。
【０１０３】
第８実施形態の空気調和機１において通常の空気調和運転が開始されると（図１２のスタート）、室内機制御部１６は室内機１０に設けられた室内温度検出器１９を利用して室内温度を検出する（ステップ＃７０１）。次に、室内機制御部１６は必要以上の台数の室外機３０を運転しているか否かを判定する（ステップ＃７０２）。なお、ここで判定する複数の室外機３０は各々が同じ冷却能力を有するものであるとする。
【０１０４】
必要以上の台数の室外機３０を運転している場合（ステップ＃７０２のＹｅｓ）、室内機制御部１６は記憶部２１等に記憶された室外機３０ごとの累積運転時間に係る数値情報を参照する（ステップ＃７０４）。
【０１０５】
この累積運転時間に係る数値情報は、複数の室外機３０各々が同じ冷却能力を有するものである場合の、室外機３０の累積運転時間と、運転時に室外機３０に流れる交流電流とを用いて演算したものである。例えば、この数値情報は室外機３０の運転の開始から終了までの期間、１分ごとに瞬間的に交流電流をサンプリングして順次加算していくことによって得られる。
【０１０６】
そして、ステップ＃７０４における参照に先立って室内機制御部１６は記憶部２１等に、複数の室外機３０各々の累積運転時間と運転時の交流電流とを演算した数値情報を逐次記憶させている。
【０１０７】
そして、室内機制御部１６は必要最低限の台数の室外機３０を運転し、残りの室外機３０の運転を停止するにあたって、累積運転時間と運転時の交流電流とを演算した数値情報が大きい室外機３０から順に運転を停止する（ステップ＃７０５）。そして、ステップ＃７０１に戻り、再び室内温度の検出を実行する。
【０１０８】
＜第９実施形態＞
次に、本発明の第９実施形態の空気調和機システムについて、図１３を用いて説明する。図１３は空気調和システムの概略構成図である。なお、この実施形態の基本的な構成は先に説明した第１〜第５実施形態と同じであるので、第１〜第５実施形態と共通する構成要素には前と同じ符号を付してその説明を省略するものとする。また、図１３では室内機１０及び室外機３０の詳細な構成の描画を省略している。
【０１０９】
第９実施形態の空気調和システム１００は、図１３に示すように１台の室内機１０に対して３台以上のｎ台の室外機３０が接続される空気調和機１の組をｍ組備える（ｎ、ｍは３以上の任意の自然数である）。
【０１１０】
このような構成の空気調和システム１００は複数の室外機３０のうち使用者により要求された空気調和運転に必要最低限の台数の室外機３０を運転し、残りの室外機３０の運転を停止する。
【０１１１】
空気調和システム１００は室外機３０の運転を停止するにあたって、累積運転時間が長い室外機３０から順に運転を停止する。或いは、空気調和システム１００は室外機３０の運転を停止するにあたって、室外機３０の累積運転時間と、運転時に室外機３０に流れる交流電流と、を用いて演算した数値情報が大きい室外機３０から順に運転を停止する。
【０１１２】
上記のように、１台の室内機１０に対して２台の室外機である第１室外機３０ａ及び第２室外機３０ｂが接続された空気調和機１は、第１室外機３０ａ及び第２室外機３０ｂの各々を１台ずつ運転させて室内機１０の温度の所定時間内の変化が所定値以上であるか否かを判定する点検モードを有する。
【０１１３】
この構成によれば、室内機１０の温度の所定時間内の変化が所定値以上である場合、空気調和機１は指令どおりに動作していると判断され、電気配線やサイクル配管が正常に接続されているとみなされる。一方、室内機１０の温度の所定時間内の変化が所定値未満である場合、空気調和機１は指令どおりに動作していないと判断され、電気配線やサイクル配管が正常に接続されていないとみなされる。したがって、空気調和機１は誤接続や接続不良を容易に検出することが可能である。また、単一の室内機制御部１６が温度検出と接続不良の判定とを行うので、より高い精度の判定を行うことができる。
【０１１４】
また、空気調和機１は室内機１０が点検モードを起動するための操作部１４を備える。ここで例えば、室外機から点検モードを起動する場合、温度検出を行う室内機との間で通信不良が発生する可能性がある。また例えば、電気配線に接続不良がある場合、室外機から点検モードを起動できない虞がある。しかしながら、本実施形態の構成によれば、室内機から点検モードを起動することができ、通信不良が抑制される。
【０１１５】
さらに、空気調和機１は室内機１０が点検モードの判定結果を報知するための報知部１５を備えるので、室内で点検モードの判定結果を知ることができる。例えば、室内機から点検モードを起動することができる場合、点検モードの起動と、接続不良の判定と、判定結果の報知と、がすべて室内側で実行され、通信の不具合等による影響を受け難くすることが可能である。
【０１１６】
また、空気調和機１は点検モードの判定結果に基づいて室内機１０と第１室外機３０ａ及び第２室外機３０ｂとの誤接続を検出した場合に、誤接続に対応する第１室外機３０ａ及び第２室外機３０ｂに対して指令信号を入れ替えて入力する。この構成によれば、誤接続を正常な接続に戻すための修理を実施しなくても問題なく空気調和運転を遂行することが可能である。したがって、作業効率の向上を図ることができる。
【０１１７】
さらに、空気調和機１は室内機１０が点検モードの判定結果を報知するための報知部１５を備え、点検モードの判定結果に基づいて室内機１０と第１室外機３０ａ及び第２室外機３０ｂとの誤接続を検出した場合に、報知部１５を用いた誤接続の報知と、誤接続に対応する第１室外機３０ａ及び第２室外機３０ｂへの指令信号の入れ替えと、が選択可能である。この構成によれば、点検モードの判定結果に関して、使用者が誤接続の報知と、指令信号の入れ替えと、を任意に選択することができる。したがって、誤接続や接続不良の検出作業において、作業の自由度を高めることが可能である。
【０１１８】
また、空気調和機１は外気温が所定温度より低い場合に点検モードにおける室内機１０の温度変化幅に係る所定値を通常より下げる。ここで、外気温が比較的低い場合、冷房運転時に室内機１０の温度変化が比較的小さいことがある。これにより、室内機１０の温度変化幅に係る所定値が通常どおりであると、判定に非常に長い時間を要する虞がある。そこで、本実施形態の構成によれば、外気温が所定温度より低い場合であっても、比較的短時間で誤接続や接続不良を検出することが可能である。
【０１１９】
また、空気調和機１は外気温が所定温度より低い場合に点検モードにおいて室内機１０の温度変化を判定するための所定時間を通常より延長する。ここで、室内機と室外機との間の距離が比較的長い場合、室内機１０の温度変化に比較的長い時間を要することがある。これにより、室内機１０の温度変化を判定するための所定時間が通常どおりであると、正確な判定ができない虞がある。そこで、本実施形態の構成によれば、外気温が所定温度より低い場合であっても、正確に誤接続や接続不良を検出することが可能である。
【０１２０】
そして、空気調和機１は複数の室外機３０のうち使用者により要求された空気調和運転に必要最低限の台数の室外機３０を運転し、残りの室外機３０の運転を停止する。この構成によれば、必要最低限の台数の室外機３０を使用して空気調和運転を遂行することができる。したがって、空気調和機１は消費電力を抑制することが可能である。
【０１２１】
また、空気調和機１は複数の室外機３０各々の累積運転時間を記憶する記憶部２１を備え、累積運転時間が長い室外機３０から順に運転を停止する。この構成によれば、特定の室外機３０だけが累積運転時間が極端に長くなることを抑制することができる。したがって、特定の室外機３０だけが寿命が極端に短くなることが抑制され、複数の室外機３０の寿命の均一化を図ることが可能である。
【０１２２】
また、空気調和機１は複数の室外機３０各々が同じ冷却能力を有するものであって、室外機３０各々の累積運転時間と、運転時に室外機３０各々に流れる交流電流とを用いて演算した数値情報を記憶する記憶部２１を備え、その数値情報が大きい室外機３０から順に運転を停止する。この構成によれば、空気調和運転を遂行するにあたって不必要な室外機３０を停止する場合に、室外機３０の累積運転時間とその運転時に流れる交流電流とを考慮して室外機３０を停止することができる。したがって、複数の室外機３０の寿命の均一化を向上させることが可能である。
【０１２３】
また、上記のように、１台の室内機１０に対して複数の室外機３０が接続された空気調和機１の組を複数備えた空気調和システム１００は、複数の室外機３０のうち要求された空気調和運転に必要最低限の数の室外機３０を運転し、残りの室外機３０の運転を停止する。この構成によれば、空気調和システム１００において、消費電力を抑制及び複数の室外機３０の寿命の均一化を図ることが可能である。
【０１２４】
以上、本発明の実施形態につき説明したが、本発明の範囲はこれに限定されるものではなく、発明の主旨を逸脱しない範囲で種々の変更を加えて実施することができる。
【産業上の利用可能性】
【０１２５】
本発明は空気調和機及び空気調和システムにおいて利用可能である。
【符号の説明】
【０１２６】
１    空気調和機
２    液管
３    ガス管
１０    室内機
１３    室内熱交換器
１４    操作部
１５    報知部
１６    室内機制御部
１３ａ    第１室内熱交換器
１３ｂ    第２室内熱交換器
２０    点検キー
２１    記憶部
３０    室外機
３０ａ    第１室外機
３０ｂ    第２室外機
１００    空気調和システム
【図１】
0006348373.tif 000002
【図２】
0006348373.tif 000003
【図３】
0006348373.tif 000004
【図４】
0006348373.tif 000005
【図５】
0006348373.tif 000006
【図６】
0006348373.tif 000007
【図７】
0006348373.tif 000008
【図８】
0006348373.tif 000009
【図９】
0006348373.tif 000010
【図１０】
0006348373.tif 000011
【図１１】
0006348373.tif 000012
【図１２】
0006348373.tif 000013
【図１３】
0006348373.tif 000014